(57)【要約】  情報提供サーバ（１)は、投稿者からのメッセージを取得し、投稿者と閲覧者との関係に応じて決定した閲覧者に伝達する情報量のレベルに基づいて、投稿メッセージの情報量が低減するように投稿メッセージを変換して変換メッセージを生成し、生成した変換メッセージを閲覧者のユーザ端末に送信する。
2014203402.tif 000002
【特許請求の範囲】
【請求項１】
投稿者からの投稿情報を取得する取得手段と、
前記投稿者と閲覧者との関係に応じて決定した前記閲覧者に伝達する情報量のレベルに基づいて、前記投稿情報の情報量が低減するように前記投稿情報を変換する変換手段と、
前記変換された前記投稿情報を前記閲覧者に提供する提供手段と、
を含むことを特徴とする情報提供装置。
【請求項２】
前記投稿情報の中から変換対象とする１以上のデータ要素を抽出する抽出手段をさらに含み、
前記変換手段は、前記投稿者と前記閲覧者との関係に応じて決定した情報量のレベルに基づいて、前記抽出手段により抽出したデータ要素のそれぞれの情報量を低減させる
ことを特徴とする請求項１に記載の情報提供装置。
【請求項３】
データの種別ごとにそれぞれ情報量のレベルが異なる複数の変換候補に変換する変換規則を定めた変換規則情報を記憶する記憶手段をさらに含み、
前記変換手段は、前記抽出手段により抽出したデータ要素のそれぞれを、該データ要素の種別について前記記憶手段に記憶される変換規則情報と、前記投稿者と前記閲覧者との関係に応じて決定した情報量のレベルとに基づいて変換する
ことを特徴とする請求項２に記載の情報提供装置。
【請求項４】
前記投稿者と、１以上の閲覧者のそれぞれとの関係の近さを表す評価値を取得する評価値取得手段をさらに含み、
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について変換した前記投稿情報の情報量が、前記第２の閲覧者について変換した前記投稿情報の情報量よりも小さくなるように変換する
ことを特徴とする請求項１乃至３のいずれかに記載の情報提供装置。
【請求項５】
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から抽出した変換対象とするデータ要素を変換したデータ要素の情報量が、前記第２の閲覧者について前記変換対象とするデータ要素を変換したデータ要素の情報量よりも小さくする
ことを特徴とする請求項４に記載の情報提供装置。
【請求項６】
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から抽出する変換対象とするデータ要素の数を、前記第１の閲覧者について前記投稿情報の中から抽出する変換対象とするデータ要素の数よりも多くする
ことを特徴とする請求項４に記載の情報提供装置。
【請求項７】
前記変換手段は、前記抽出手段により抽出したデータ要素が固有名詞である場合に、該データ要素に含まれる文字列のうち、前記投稿者と前記閲覧者との関係に応じて決定した情報量のレベルに基づき決定した数の文字をマスク又は削除して、該データ要素を変換する
ことを特徴とする請求項２又は３に記載の情報提供装置。
【請求項８】
前記変換手段は、前記抽出手段により抽出したデータ要素が住所データである場合に、該データ要素に含まれる住所の構成区分のうち、前記投稿者と前記閲覧者との関係に応じて決定した情報量のレベルに基づき決定した住所の構成区分を削除するか、又は、該データ要素に含まれる住所の構成区分を前記投稿者と前記閲覧者との関係に応じて決定した情報量のレベルに対応する上位の住所の構成区分に置換して、該データを変換する
ことを特徴とする請求項２又は３に記載の情報提供装置。
【請求項９】
前記変換手段は、前記抽出手段により抽出したデータ要素に情報量のレベルに対応して置換する置換データが定められている場合に、該データ要素を前記投稿者と前記閲覧者との関係に応じて決定した情報量のレベルに対応する置換データに置換して、該データ要素を変換する
ことを特徴とする請求項２又は３に記載の情報提供装置。
【請求項１０】
前記変換手段は、前記抽出手段により抽出したデータ要素が動画像データである場合に、前記投稿者と前記閲覧者との関係に応じて決定した情報量のレベルに応じて、該動画像データを、該動画像データに含まれる静止画像、又は該動画像データの属性情報に変換する
ことを特徴とする請求項２又は３に記載の情報提供装置。
【請求項１１】
前記抽出手段は、前記投稿情報に含まれるデータ要素ごとに定められた優先順位に従って、前記投稿情報に含まれるデータ要素の中から変換対象とする１以上のデータ要素を抽出する
ことを特徴とする請求項２又は３に記載の情報提供装置。
【請求項１２】
前記投稿者と前記閲覧者の関係の近さを表す評価値を取得する評価値取得手段と、
前記投稿者と前記閲覧者について前記評価値取得手段により取得された評価値が閾値以上又は閾値より大きい場合に、前記投稿者に関連付けられたユーザのリストと、前記閲覧者に関連付けられたユーザのリストとにおいて共通するユーザのデータを変換対象として抽出する優先順位を所定の優先順位よりも低く設定する設定手段と、をさらに含む
ことを特徴とする請求項１１に記載の情報提供装置。
【請求項１３】
前記投稿者と前記閲覧者の関係の近さを表す評価値を取得する評価値取得手段と、
前記投稿者と前記閲覧者について前記評価値取得手段により取得された評価値が閾値以下又は閾値より小さい場合に、前記投稿者に関連付けられたユーザのリストと、前記閲覧者に関連付けられたユーザのリストとにおいて共通するユーザのデータを変換対象として抽出する優先順位を所定の優先順位よりも高く設定する設定手段と、をさらに含む
ことを特徴とする請求項１１に記載の情報提供装置。
【請求項１４】
投稿者からの投稿情報を取得する取得ステップと、
前記投稿者と閲覧者との関係に応じて決定した前記閲覧者に伝達する情報量のレベルに基づいて、前記投稿情報の情報量が低減するように前記投稿情報を変換する変換ステップと、
前記変換された前記投稿情報を前記閲覧者に提供する提供ステップと、
を含む情報提供方法。
【請求項１５】
投稿者からの投稿情報を取得する取得手段と、
前記投稿者と閲覧者との関係に応じて決定した前記閲覧者に伝達する情報量のレベルに基づいて、前記投稿情報の情報量が低減するように前記投稿情報を変換する変換手段と、
前記変換された前記投稿情報を前記閲覧者に提供する提供手段
としてコンピュータを機能させるためのプログラム。
【発明の詳細な説明】
【技術分野】
【０００１】
本発明は、情報提供装置、情報提供方法及びプログラムに関する。
【背景技術】
【０００２】
ユーザが投稿したメッセージを他のユーザが閲覧できる情報共有システムがある。こうした情報共有システムにおいて、ユーザが投稿したメッセージを公開する対象のユーザやグループを設定して、対象外のユーザやグループに対してはメッセージが閲覧できないように制御することがある（例えば、特許文献１を参照）。
【先行技術文献】
【特許文献】
【０００３】
【特許文献１】特開２００８−１４６２４６号公報
【発明の概要】
【発明が解決しようとする課題】
【０００４】
しかしながら、メッセージの閲覧者の中には、メッセージの投稿者と極めて親しい友人、それ程親しくない知人、実際には会ったことのない人等のように、メッセージの投稿者と閲覧者との関係の近しさは様々であることがあるにもかかわらず、従来の技術では、ユーザが投稿したメッセージを、他のユーザが閲覧可能か否かを制御するに留まっているため、閲覧が可能となったユーザに対しては、投稿者との関係如何によらず投稿した情報がそのまま公開されてしまっていた。そのため、従来技術では、投稿者が個々の閲覧者との関係によっては開示したくない情報まで開示されてしまうことがあった。また、従来技術においても、投稿者が個々の閲覧者ごとにメッセージの開示範囲を設定することも考えられるが、投稿者にとっては非常に手間がかかるし、投稿時に閲覧者が特定できない場合もあることを鑑みると到底現実的とはいえない。【０００５】
本発明は、上記の課題に鑑みてなされたものであり、その目的は、投稿者が投稿した情報を投稿者と閲覧者との関係に応じた情報量に抑制して閲覧者に提供できる情報提供装置、情報提供方法及びプログラムを提供することにある。
【課題を解決するための手段】
【０００６】
上記目的を達成するために、本発明に係る情報提供装置は、投稿者からの投稿情報を取得する取得手段と、前記投稿者と閲覧者との関係に応じて決定した前記閲覧者に伝達する情報量のレベルに基づいて、前記投稿情報の情報量が低減するように前記投稿情報を変換する変換手段と、前記変換された前記投稿情報を前記閲覧者に提供する提供手段と、を含むこととする。【０００７】
本発明の一態様では、前記情報提供装置は、前記投稿情報の中から変換対象とする１以上のデータ要素を抽出する抽出手段をさらに含み、前記変換手段は、前記投稿者と前記閲覧者との関係に応じて決定した情報量のレベルに基づいて、前記抽出手段により抽出したデータ要素のそれぞれの情報量を低減させることとしてもよい。【０００８】
本発明の一態様では、前記情報提供装置は、データの種別ごとにそれぞれ情報量のレベルが異なる複数の変換候補に変換する変換規則を定めた変換規則情報を記憶する記憶手段をさらに含み、前記変換手段は、前記抽出手段により抽出したデータ要素のそれぞれを、該データ要素の種別について前記記憶手段に記憶される変換規則情報と、前記投稿者と前記閲覧者との関係に応じて決定した情報量のレベルとに基づいて変換することとしてもよい。【０００９】
本発明の一態様では、前記情報提供装置は、前記投稿者と、１以上の閲覧者のそれぞれとの関係の近さを表す評価値を取得する評価値取得手段をさらに含み、前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について変換した前記投稿情報の情報量が、前記第２の閲覧者について変換した前記投稿情報の情報量よりも小さくなるように変換することとしてもよい。【００１０】
本発明の一態様では、前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から抽出した変換対象とするデータ要素を変換したデータ要素の情報量が、前記第２の閲覧者について前記変換対象とするデータ要素を変換したデータ要素の情報量よりも小さくすることとしてもよい。【００１１】
本発明の一態様では、前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から抽出する変換対象とするデータ要素の数を、前記第１の閲覧者について前記投稿情報の中から抽出する変換対象とするデータ要素の数よりも多くすることとしてもよい。【００１２】
本発明の一態様では、前記変換手段は、前記抽出手段により抽出したデータ要素が固有名詞である場合に、該データ要素に含まれる文字列のうち、前記投稿者と前記閲覧者との関係に応じて決定した情報量のレベルに基づき決定した数の文字をマスク又は削除して、該データ要素を変換することとしてもよい。【００１３】
本発明の一態様では、前記変換手段は、前記抽出手段により抽出したデータ要素が住所データである場合に、該データ要素に含まれる住所の構成区分のうち、前記投稿者と前記閲覧者との関係に応じて決定した情報量のレベルに基づき決定した住所の構成区分を削除するか、又は、該データ要素に含まれる住所の構成区分を前記投稿者と前記閲覧者との関係に応じて決定した情報量のレベルに対応する上位の住所の構成区分に置換して、該データを変換することとしてもよい。【００１４】
本発明の一態様では、前記変換手段は、前記抽出手段により抽出したデータ要素に情報量のレベルに対応して置換する置換データが定められている場合に、該データ要素を前記投稿者と前記閲覧者との関係に応じて決定した情報量のレベルに対応する置換データに置換して、該データ要素を変換することとしてもよい。【００１５】
本発明の一態様では、前記変換手段は、前記抽出手段により抽出したデータ要素が動画像データである場合に、前記投稿者と前記閲覧者との関係に応じて決定した情報量のレベルに応じて、該動画像データを、該動画像データに含まれる静止画像、又は該動画像データの属性情報に変換することとしてもよい。【００１６】
本発明の一態様では、前記抽出手段は、前記投稿情報に含まれるデータ要素ごとに定められた優先順位に従って、前記投稿情報に含まれるデータ要素の中から変換対象とする１以上のデータ要素を抽出することとしてもよい。【００１７】
本発明の一態様では、前記情報提供装置は、前記投稿者と前記閲覧者の関係の近さを表す評価値を取得する評価値取得手段と、前記投稿者と前記閲覧者について前記評価値取得手段により取得された評価値が閾値以上又は閾値より大きい場合に、前記投稿者に関連付けられたユーザのリストと、前記閲覧者に関連付けられたユーザのリストとにおいて共通するユーザのデータを変換対象として抽出する優先順位を所定の優先順位よりも低く設定する設定手段と、をさらに含むこととしてもよい。【００１８】
本発明の一態様では、前記情報提供装置は、前記投稿者と前記閲覧者の関係の近さを表す評価値を取得する評価値取得手段と、前記投稿者と前記閲覧者について前記評価値取得手段により取得された評価値が閾値以下又は閾値より小さい場合に、前記投稿者に関連付けられたユーザのリストと、前記閲覧者に関連付けられたユーザのリストとにおいて共通するユーザのデータを変換対象として抽出する優先順位を所定の優先順位よりも高く設定する設定手段と、をさらに含むこととしてもよい。【００１９】
本発明に係る情報提供方法は、投稿者からの投稿情報を取得する取得ステップと、前記投稿者と閲覧者との関係に応じて決定した前記閲覧者に伝達する情報量のレベルに基づいて、前記投稿情報の情報量が低減するように前記投稿情報を変換する変換ステップと、前記変換された前記投稿情報を前記閲覧者に提供する提供ステップと、を含むこととする。【００２０】
本発明に係るプログラムは、投稿者からの投稿情報を取得する取得手段と、前記投稿者と閲覧者との関係に応じて決定した前記閲覧者に伝達する情報量のレベルに基づいて、前記投稿情報の情報量が低減するように前記投稿情報を変換する変換手段と、前記変換された前記投稿情報を前記閲覧者に提供する提供手段としてコンピュータを機能させるためのプログラムである。
【発明の効果】
【００２１】
本発明によれば、投稿者が投稿した情報を投稿者と閲覧者との関係に応じた情報量に抑制して閲覧者に提供できる。
【図面の簡単な説明】
【００２２】
【図１】本発明の実施形態に係る情報伝達システムのシステム構成図である。
【図２】ユーザ間の関係性を表す図である。
【図３】投稿メッセージの一例を示す図である。
【図４】閲覧メッセージの一例を示す図である。
【図５】閲覧メッセージの一例を示す図である。
【図６】閲覧メッセージの一例を示す図である。
【図７】情報提供サーバの機能ブロック図である。
【図８】変換規則情報の一例を示す図である。
【図９】記憶されるメッセージ情報の一例を示す図である。
【図１０】ユーザ情報管理テーブルの一例を示す図である。
【図１１】メッセージ履歴情報管理テーブルの一例を示す図である。
【図１２】第１の実施例におけるメッセージ保存処理のフローチャートである。
【図１３】第１の実施例におけるメッセージ提供処理のフローチャートである。
【図１４】第２の実施例におけるメッセージ提供処理のフローチャートである。
【図１５】変換規則情報の一例を示す図である。
【図１６】投稿メッセージの一例を示す図である。
【図１７】閲覧メッセージの一例を示す図である。
【図１８】閲覧メッセージの一例を示す図である。
【図１９】閲覧メッセージの一例を示す図である。
【発明を実施するための形態】
【００２３】
以下、本発明の実施の形態（以下、実施形態）について図面を参照しながら説明する。
【００２４】
［１．システム構成の説明］
図１には、本発明の実施形態に係る情報伝達システムＳのシステム構成図を示した。図１に示されるように、情報伝達システムＳは、情報提供サーバ１と、１以上のユーザ端末２を含み、情報提供サーバ１は、インターネット等のネットワーク３を介して相互にデータ通信する。なお、本実施形態では、ユーザＵＡがユーザ端末２Ａを、ユーザＵＢがユーザ端末２Ｂを、ユーザＵＣがユーザ端末２Ｃを、ユーザＵＤがユーザ端末２Ｄを、ユーザＵＥがユーザ端末２Ｅを操作することとするが、ユーザ端末２Ａ〜２Ｅの任意の１つを表す場合にはユーザ端末２と表記する。
【００２５】
本実施形態に係る情報伝達システムＳでは、情報提供サーバ１は、メッセージの発信者であるユーザが操作するユーザ端末２からメッセージを受信し、受信したメッセージをメッセージの閲覧者であるユーザが操作するユーザ端末２に送信する。メッセージには１以上の宛先が定められていてもよいし、宛先が定められていなくとも構わない。メッセージに宛先が定められている場合には、情報提供サーバ１は、メッセージに定められた宛先のユーザにメッセージを提供し、メッセージに宛先が定められていない場合には、ユーザ端末２からの情報閲覧要求に応じてメッセージを提供することとしてよい。以下、具体例に基づいて、情報伝達システムＳにおける処理の概要を説明する。
【００２６】
［１−１．情報伝達システムＳにおける処理の概要説明］
以下説明する例では、ユーザＡがメッセージの発信者であり、ユーザＢ，Ｃ，Ｄ，Ｅがメッセージの閲覧者であるとする。ここで、ユーザＡとユーザＢ〜Ｅのそれぞれの関係性は、図２に定められた通りとし、ユーザＡとの関係が近い順に、ユーザＢ（関係性ランク０）＞ユーザＣ（関係性ランク１）＞ユーザＤ（関係性ランク２）＞ユーザＥ（関係性ランク３）であるとする。例えば、関係性ランクは、ユーザＡとの関係性の近しさの程度を表しており、ランクが小さい順にユーザＡとの関係が近い（すなわちユーザＡと親しい）ことを表している。なお、関係性ランクは、予めユーザにより設定されていることとしてもよいし、ユーザ間のメッセージの交換数、交換頻度、閲覧数、登録されている共通の友人の数等に基づく評価結果に基づいて設定されることとしてもよい。
【００２７】
そして、ユーザ端末２Ａは、メッセージの発信者であるユーザＡの入力に基づいて、例えば図３に示される投稿メッセージＭＳ０を作成し、作成した投稿メッセージＭＳ０を情報提供サーバ１に送信する。図３に示されるように、投稿メッセージＭＳ０には、個人名データＤ１０、住所データＤ２０、店名データＤ３０、動画データＤ４０が含まれる。
【００２８】
情報提供サーバ１は、ユーザＡから投稿されたメッセージを、ユーザＢ〜Ｅがそれぞれ操作するユーザ端末２Ｂ〜Ｅからの要求に応じて、又はメッセージに定められた宛先に従って、ユーザ端末２Ｂ〜Ｅに送信することとする。ここで、情報提供サーバ１は、各ユーザＢ〜Ｅに送信するメッセージを、メッセージの発信者であるユーザＡと、閲覧者であるユーザＢ〜Ｅのそれぞれとの関係性ランクに従って、送信するメッセージに含まれる情報量を、発信者との関係が遠くなるにつれて低減するように変換した上で送信することとする。ここで、メッセージに含まれる情報量とは、そのメッセージにより示される事象の起こりにくさを示す尺度（例えば、事象が起こりにくいほど（事象の生起確率が低いほど）情報量が大きい）であることとしてよい。例えば、メッセージに含まれる語（文字列）の一部を削除したり、メッセージに含まれる語をより上位概念の語に置き換えたりすることでメッセージを曖昧化すると、曖昧化されたメッセージに該当する事象の数は増えるため、曖昧化されたメッセージの情報量は低減することとなる。なお、情報量を低減させる（情報を曖昧化する）変換例としては、第１の住所を、第１の住所を包含する地域を示す第２の住所に置換することや、個人の名前を、当該個人が有する属性情報（例えば、年齢や性別）に置換すること等も含まれる。
【００２９】
例えば、ユーザＡとの関係性ランク０に属するユーザＢは、ユーザＡが投稿したメッセージをそのまま受け取ることとしてよい。
【００３０】
そして、ユーザＡとの関係性ランク１に属するユーザＣは、図４に示されるように、ユーザＡが投稿したメッセージのうち、個人名データＤ１０が個人名データＤ１１（個人名データＤ１０の姓のみ）に変換され、住所データＤ２０が住所データＤ２１（Ｄ２０のうち「東京都品川区東品川」以降の住所区分が削除）に変換され、店名データＤ３０が店名データＤ３１（店名データＤ３０のうち２文字がマスク）に変換され、動画データＤ１０が動画データＤ１１（動画データＤ１０の１フレームの静止画像）に変換される。これにより、ユーザＣは、閲覧可能なメッセージの情報量が、ランク０のユーザＢよりも低減されたメッセージを受け取ることとなる。
【００３１】
ユーザＡとの関係性ランク２に属するユーザＤは、図５に示されるように、ユーザＡが投稿したメッセージのうち、個人名データＤ１０が個人名データＤ１２（個人名データＤ１０のイニシャル）に変換され、住所データＤ２０が住所データＤ２２（Ｄ２０のうち「東京都品川区」以降の住所区分が削除）に変換され、店名データＤ３０が店名データＤ３２（店名データＤ３０のうち４文字がマスク）に変換され、動画データＤ１０が動画データＤ１１（動画データＤ１０のファイル名）に変換される。これにより、ユーザＤは、閲覧可能なメッセージの情報量が、ランク１のユーザＣよりも低減されたメッセージを受け取ることとなる。
【００３２】
ユーザＡとの関係がランク３に属するユーザＥは、図６に示されるように、ユーザＡが投稿したメッセージのうち、個人名データＤ１０が個人名データＤ１３（個人名データＤ１０に対応するハンドルネーム）に変換され、住所データＤ２０が住所データＤ２３（Ｄ２０のうち「東京都」以降の住所区分が削除）に変換され、店名データＤ３０が店名データＤ３３（店名データＤ３０のうち６文字がマスク）に変換され、動画データＤ１０が削除される。これにより、ユーザＥは、閲覧可能なメッセージの情報量が、ランク２のユーザＤよりも低減されたメッセージを受け取ることとなる。
【００３３】
このように、本実施形態に係る情報伝達システムＳでは、情報発信者と情報閲覧者との関係が遠くなるにつれて、情報発信者からの投稿情報による情報量が低減するように投稿情報を変換した上で、変換された投稿情報を各情報閲覧者に提供することとする。
【００３４】
［２．情報提供サーバ１の機能の説明］
次に、以上の処理を実現するために情報提供サーバ１に備えられる機能の一例について説明する。
【００３５】
図７には、情報提供サーバ１の機能ブロック図を示した。図７に示されるように、情報提供サーバ１は、メッセージ取得部１１、変換辞書情報記憶部１２、変換対象要素特定部１３、メッセージ記憶部１４、情報閲覧者特定部１５、ユーザ情報記憶部１６、メッセージ履歴情報記憶部１７、ユーザ関係性評価部１８、変換実行要素決定部１９、メッセージ変換部２０、変換メッセージ提供部２１を備える。
【００３６】
情報提供サーバ１に備えられる上記各部の機能は、ＣＰＵ（Central Processing Unit）等の制御手段、半導体メモリや磁気ディスク装置等の記憶手段、ネットワークインターフェース等の通信手段を備えるコンピュータにおいて、記憶手段に記憶されるプログラムを制御手段が実行することにより実現されることとしてよい。なお、プログラムは、情報記憶媒体に格納された状態で情報提供サーバ１に供給されることとしてもよいし、インターネット等のデータ通信手段を介して情報提供サーバ１に供給されることとしてもよい。以下、情報提供サーバ１に備えられた各部の詳細について説明する。
【００３７】
メッセージ取得部１１は、ユーザ端末２からメッセージ情報（投稿情報）を取得する。メッセージ情報には、テキストデータ、画像データ（静止画、動画を含む）、音声データ等を含むこととしてよい。また、メッセージ情報には、宛先（メールアドレス、宛先のユーザ識別情報等）が含まれていることとしてもよいし、含まれていなくともよい。
【００３８】
変換辞書情報記憶部１２は、メッセージ取得部１１により取得されたメッセージ情報の中から、変換対象とするデータ要素を特定する特定辞書情報及び特定したデータ要素を変換する規則を定めた変換規則情報を記憶する。
【００３９】
本実施形態では、例えば、特定辞書情報により、住所情報、連絡先情報（電話番号、メールアドレス等）、特定の固有名詞（個人名、店名等）、画像データ等が変換対象のデータ要素として定められることとする。
【００４０】
図８には、変換規則情報の一例を示した。図８に示されるように、変換規則情報には、変換規則ＩＤ、変換対象のデータ要素の種類（住所、連絡先、個人名、店名、動画）、変換対象情報のデータ形式、変換レベルごとの変換規則の情報が関連付けて記憶される。以下、変換規則の具体例について説明する。なお、変換レベルが上がるごとに（すなわち、変換レベルが１〜Ｎ（Ｎは２以上の整数）の順に）、データ要素の有する情報量が下がる（すなわち、変換レベル（ｉ＋１）で変換されるデータ要素の情報量が、変換レベルｉ（ｉは１以上の整数）で変換されるデータ要素の情報量よりも小さくなる）という関係を有している。
【００４１】
例えば、変換対象のデータ要素が住所情報であり、住所情報が［Ａ１］（都道府県）［Ａ２］（市）［Ａ３］（区）［Ａ４］のデータ構造を有している場合には、変換レベル１は、［Ａ１］（都道府県）［Ａ２］（市）［Ａ３］（区）、変換レベル２は、［Ａ１］（都道府県）［Ａ２］（市）、変換レベル３は、［Ａ１］（都道府県）、変換レベル４（又はそれ以上）は、［削除］としてよい。
【００４２】
例えば、変換対象のデータ要素が連絡先情報であり、連絡先情報が電話番号の形式で構成されており、電話番号に紐付くメールアドレス、識別子（ユーザＩＤ等）が存在する場合には、変換レベル１は、対応するメールアドレス、変換レベル２は、対応する識別子、変換レベル３（又はそれ以上）は、［削除］としてよい。
【００４３】
例えば、変換対象のデータ要素が個人名（姓名）であり、個人名に紐付くハンドルネーム（ニックネーム）が存在する場合には、変換レベル１は、姓又は名、変換レベル２は、姓名に対応するイニシャル、変換レベル３は、ハンドルネーム、変換レベル４（又はそれ以上）は、［削除］としてよい。
【００４４】
例えば、変換対象のデータ要素が固有名詞であり、特別な変換規則が定められていない場合には、固有名詞の文字数（Ｎ（Ｎは１以上の整数））に対して、変換レベル１は、［Ｎの２５％以上の文字数をマスク］、変換レベル２は、［Ｎの５０％以上の文字数をマスク］、変換レベル３は、［Ｎの７５％以上の文字数をマスク］、変換レベル４（又はそれ以上）は、［削除］としてよい。
【００４５】
例えば、変換対象のデータ要素が動画データである場合には、変換レベル１は、［動画データから抽出した１フレームの静止画］、変換レベル２は、［動画データのファイル名］、変換レベル３（又はそれ以上）は、［削除］としてよい。
【００４６】
変換対象要素特定部１３は、変換辞書情報記憶部１２に記憶される特定辞書情報に基づいて、メッセージ取得部１１により取得されたメッセージ情報の中から変換対象とするデータ要素を特定する。例えば、変換対象要素特定部１３は、メッセージ情報の中から特定した変換対象のデータ要素のそれぞれについて、データの種類、又は適用する変換規則ＩＤ、又は適用する変換規則に基づいて生成した変換レベルごとの変換候補データを関連付けて記憶することとしてもよい。
【００４７】
メッセージ記憶部１４は、メッセージ取得部１１により取得されたメッセージ情報と、当該メッセージ情報について変換対象要素特定部１３により特定された変換対象のデータ要素の情報を記憶する。
【００４８】
図９には、メッセージ記憶部１４に記憶されるメッセージ情報の一例を示した。図９に示されるメッセージ情報の例では、メッセージ情報について変換対象要素特定部１３により特定されたデータ要素についてデータ種類と、変換レベルごとの変換候補のデータとを関連付けて記憶している。以下、メッセージ記憶部１４に記憶されているメッセージ情報を基礎メッセージ情報とする。
【００４９】
情報閲覧者特定部１５は、メッセージ記憶部１４に記憶されたメッセージ情報に基づく情報を閲覧するユーザ（情報閲覧者）を特定する。例えば、情報閲覧者特定部１５は、メッセージ情報に宛先が指定されている場合や、メッセージ情報の発信者であるユーザについて予めメッセージ情報を通知する宛先のユーザが指定されている場合には、それらの指定された宛先に基づいて情報閲覧者のユーザＩＤを特定することとしてよい。また、情報閲覧者特定部１５は、メッセージ情報やメッセージ情報の発信者に関して宛先が指定されていない場合には、メッセージ情報の閲覧要求時にユーザ端末２から受信したデータに基づいて情報閲覧者のユーザＩＤを特定することとしてよい。ここで、情報閲覧者特定部１５は、メッセージ情報やメッセージ情報の発信者に関して宛先が指定されている場合においても、メッセージ情報の閲覧要求時にユーザ端末２から受信したデータに基づいて情報閲覧者のユーザＩＤを特定することとしてもよいのはもちろんである。
【００５０】
ユーザ情報記憶部１６は、ユーザに関する情報を記憶する。図１０には、ユーザ情報記憶部１６に記憶されるユーザ情報管理テーブルの一例を示した。図１０に示される、ユーザ情報管理テーブルの例では、ユーザを識別するユーザＩＤ、ユーザの氏名、イニシャル、ハンドルネーム、メールアドレス、電話番号、グループＩＤ、友人リストの情報が関連付けて記憶される。
【００５１】
メッセージ履歴情報記憶部１７は、ユーザが発信・閲覧したメッセージの情報についての履歴情報を記憶する。図１１には、メッセージ履歴情報記憶部１７に記憶されるメッセージ履歴情報管理テーブルの一例を示した。図１１に示される、メッセージ履歴情報管理テーブルの例では、履歴データＩＤ、メッセージＩＤ、返答先メッセージＩＤ（メッセージが先のメッセージの返答である場合における、返答先のメッセージを識別するＩＤである）、メッセージの発信者（ユーザＩＤ）、メッセージの閲覧者（ユーザＩＤ）、メッセージの宛先数、発信日時、閲覧日時の情報が関連付けて記憶される。
【００５２】
ユーザ関係性評価部１８は、メッセージ情報の発信者と、メッセージ情報の閲覧者との関係性を評価する。以下、メッセージ情報の発信者と、メッセージ情報の閲覧者との関係性の評価の具体例について説明する。
【００５３】
第１の評価例では、ユーザ関係性評価部１８は、メッセージ履歴情報管理テーブルの中から、対象のメッセージ情報の発信者から、対象のメッセージ情報の閲覧者に対して送信されたメッセージを検索し、検索されたメッセージの数、又は検索されたメッセージに基づき演算されるメッセージの投稿頻度（単位期間当たりのメッセージ数）に基づいて第１の評価値を算出し、第１の評価値が複数のランクのいずれの範囲に含まれるかに基づいて（例えば、ａ０＞ａ１＞ａ２＞ａ３とした場合に、関係性ランク０：評価値がａ０以上、関係性ランク１：評価値がａ０未満ａ１以上、関係性ランク２：評価値がａ１未満ａ２以上、関係性ランク３：評価値がａ２未満ａ３以上、関係性ランク４：評価値がａ３未満等）、発信者と閲覧者の関係性を示すランク（関係性ランク）を決定することとしてよい。また、ユーザ関係性評価部１８は、上記検索されたメッセージのそれぞれについて重みを設定し、設定した重みを合計して第１の評価値を算出することとしてもよい。この場合に、例えば、メッセージの宛先数が１の場合には重みを１に、メッセージの宛先数がＮ（Ｎは１以上の整数）の場合には重みを１／Ｎに設定することとしてもよい。また、メッセージの宛先数が不特定の場合には、重みを固定値（例えば０．１等）に設定することとしてもよいし、メッセージの発信者が過去に発信したメッセージにおける平均の宛先数をＰとし、重みを１／Ｐに設定することとしてもよい。ここで、平均の宛先数を算出する対象のメッセージは、過去に発信された全てのメッセージであってもよいし、指定した期間内に発信されたメッセージであってもよい。
【００５４】
第２の評価例では、ユーザ関係性評価部１８は、メッセージ履歴情報管理テーブルの中から、対象のメッセージ情報の発信者と、対象のメッセージ情報の閲覧者とで交換したメッセージ（例えば、返答メッセージの数）を検索し、検索されたメッセージの数、又は検索されたメッセージに基づき演算されるメッセージの交換頻度（単位期間当たりの返答メッセージ数）に基づいて第２の評価値を算出し、第２の評価値が複数のランクのいずれの範囲に含まれるかに基づいて（例えば、ｂ０＞ｂ１＞ｂ２＞ｂ３とした場合に、関係性ランク０：評価値がｂ０以上、関係性ランク１：評価値がｂ０未満ｂ１以上、関係性ランク２：評価値がｂ１未満ｂ２以上、関係性ランク３：評価値がｂ２未満ｂ３以上、関係性ランク４：評価値がｂ３未満等）、発信者と閲覧者の関係性を示すランク（関係性ランク）を決定することとしてよい。
【００５５】
第３の評価例では、ユーザ関係性評価部１８は、ユーザ情報管理テーブルの中から、対象のメッセージ情報の発信者に紐付く友人リストと、対象のメッセージ情報の閲覧者に紐付く友人リストとにおいて共通して含まれる友人を検索し、検索された友人の数に基づいて第３の評価値を算出し、第３の評価値が複数のランクのいずれの範囲に含まれるかに基づいて（例えば、ｃ０＞ｃ１＞ｃ２＞ｃ３とした場合に、関係性ランク０：評価値がｃ０以上、関係性ランク１：評価値がｃ０未満ｃ１以上、関係性ランク２：評価値がｃ１未満ｃ２以上、関係性ランク３：評価値がｃ２未満ｃ３以上、関係性ランク４：評価値がｃ３未満等）、発信者と閲覧者の関係性を示すランク（関係性ランク）を決定することとしてよい。また、ユーザ関係性評価部１８は、上記検索された友人のそれぞれについて重みを設定し、設定した重みを合計して第３の評価値を算出することとしてもよい。この場合に、例えば、検索された友人のそれぞれに対して、対象のメッセージ情報の発信者とのメッセージ交換数（又は交換頻度）、対象のメッセージ情報の閲覧者とのメッセージ交換数（交換頻度）との両方が大きいほど高い重みを設定するようにしてもよい。
【００５６】
変換実行要素決定部１９は、基礎メッセージ情報に含まれる変換対象のデータ要素の中から、情報閲覧者特定部１５により特定される閲覧者について変換を実行するデータ要素（変換実行要素）を決定する。例えば、変換実行要素決定部１９は、基礎メッセージ情報に含まれる全ての変換対象のデータ要素を変換実行要素に決定してもよいし、基礎メッセージ情報の発信者と閲覧者についてユーザ関係性評価部１８で評価された関係性ランクに応じて割合を決定し（例えば、関係性ランク１：０％、関係性ランク２：２５％、関係性ランク３：５０％、関係性ランク４：７５％、関係性ランク５：１００％等）、決定した割合に基づいて基礎メッセージ情報に含まれる変換対象のデータ要素の中から変換実行要素を選択することとしてもよい。ここで、変換実行要素決定部１９は、基礎メッセージ情報に含まれる変換対象のデータ要素の中から変換実行要素を選択するに当たり、変換対象のデータ要素に定められた優先度が高いものから、変換実行要素を選択することとしてよい。例えば、変換対象のデータ要素の優先度は、データの種別ごとに定められている（例えば、優先順位を個人名＞住所＞連絡先＞動画＞店名等とする等）こととしてもよいし、変換対象のデータ要素に含まれるデータ量に応じて定められる（例えば、優先順位をデータ要素のバイト数が大きいものの順とする等）こととしてもよい。なお、データ要素の種別ごとに定められる優先度は、メッセージの発信者であるユーザにより予め設定されることとしてもよい。
【００５７】
また、変換実行要素決定部１９は、基礎メッセージ情報に含まれる変換対象のデータ要素のうち、基礎メッセージ情報の発信者と閲覧者とのそれぞれの友人リストに共通して含まれるユーザと同一のユーザの情報（以下、共通友人情報）に関しては、除外するようにしてもよい。例えば、変換実行要素決定部１９は、基礎メッセージ情報の発信者と閲覧者との関係性ランクが閾値以上（又は閾値より大きい）場合には、共通友人情報に該当するデータ要素を変換実行要素として選択する際の優先度を、当該データ要素について予め定められた優先度（又は他のデータ要素の優先度）よりも下げることとしてよい。また、変換実行要素決定部１９は、基礎メッセージ情報の発信者と閲覧者との関係性ランクが閾値以下（又は閾値より小さい）場合には、共通友人情報に該当するデータ要素を変換実行要素として選択する際の優先度を、当該データ要素について予め定められた優先度（又は他のデータ要素の優先度）よりも上げることとしてよい。
【００５８】
メッセージ変換部２０は、情報閲覧者特定部１５により特定される閲覧者に対して提供する基礎メッセージ情報について変換実行要素決定部１９により決定されたそれぞれのデータ要素（変換実行要素）を、当該閲覧者についてユーザ関係性評価部１８について評価された評価結果（ランク）に応じた変換レベルで変換して、変換メッセージ情報を生成する。
【００５９】
例えば、メッセージ変換部２０は、基礎メッセージ情報のうち変換実行要素決定部１９で決定したデータ要素を、ユーザ関係性評価部１８で得られたランクに対応した変換レベル（例えばランクｉは変換レベルｉとしてよい）のデータに変換することとしてよい。具体的には、メッセージ変換部２０は、基礎メッセージ情報のうち変換実行要素決定部１９で決定したデータ要素を、該データ要素について定められる変換レベルごとの変換候補の中から、ユーザ関係性評価部１８で得られたランクに対応した変換レベルの変換候補を選択し、選択した変換候補の内容でデータ要素を置き換えすることとしてよい。
【００６０】
変換メッセージ提供部２１は、情報閲覧者特定部１５により特定された閲覧者に対して、メッセージ変換部２０により変換した変換メッセージ情報を提供する。例えば、変換メッセージ提供部２１は、閲覧者について生成した変換メッセージ情報を、閲覧者が操作するユーザ端末２に送信することとしてもよいし、閲覧者に紐付けられたメールアドレス等の通知先に送信することとしてもよい。
【００６１】
［３．フローの説明］
次に、情報提供サーバ１により実行される処理の詳細を、フローチャートを参照しながら説明する。
【００６２】
［３−１．第１の実施例］
まず、第１の実施例として、投稿されるメッセージに宛先が含まれておらず、ユーザ端末２から投稿されたメッセージを保存し、他のユーザ端末２からの要求に応じて保存されたメッセージを提供する場合を例として説明する。
【００６３】
［３−１（１）．投稿メッセージ保存処理］
図１２には、第１の実施例におけるメッセージ保存処理のフローチャートを示した。
【００６４】
図１２に示されるように、情報提供サーバ１は、メッセージの投稿者が操作するユーザ端末２からメッセージ情報を取得し（Ｓ１０１）、取得したメッセージ情報の中から変換対象とするデータ要素（変換対象要素Ｄ１〜ＤＮ）を抽出する（Ｓ１０２）。変換対象要素は、予め定められたフォーマットにより表される情報、予め定められた辞書に含まれる情報等としてよい。ここで、ＤＮにおけるＮはメッセージ情報の中から抽出されるデータ要素の数であり、１以上の整数である。
【００６５】
情報提供サーバ１は、変数ｉを１に初期化して（Ｓ１０３）、変換対象要素Ｄｉのデータ種別（例えば、住所情報、連絡先情報（電話番号、メールアドレス等）、個人名、店名、画像データのいずれか）を辞書情報に基づき判定し（Ｓ１０４）、Ｄｉのデータ種別に応じた変換規則を辞書情報に基づき特定して、特定した変換規則に基づいてＤｉについて複数の変換レベルごとの変換候補を設定する（Ｓ１０５）。ここでの変換レベル１〜Ｌ（Ｌは２以上の整数）とすると、変換レベル１〜Ｌにそれぞれ対応する変換候補は、変換レベルが大きくなるにつれて情報量が減るように生成される。そして、情報提供サーバ１は、変換対象要素Ｄｉと、変換対象要素Ｄｉについて設定した複数の変換レベルごとの変換候補を関連付けて記憶する（Ｓ１０６）。
【００６６】
情報提供サーバ１は、変数ｉがＮに達していない場合には（Ｓ１０７：Ｎ）、変数ｉをインクリメント（１加算）して（Ｓ１０８）、Ｓ１０４に戻り、それ以降の処理を再度実行する。
【００６７】
情報提供サーバ１は、変数ｉがＮに達している場合には（Ｓ１０７：Ｙ）、メッセージ情報を保存して（Ｓ１０８）、保存処理を終了する。なお、Ｓ１０８で保存するメッセージ情報には、メッセージ情報の発信者のユーザＩＤを関連付けて記憶する（例えばメッセージ履歴情報管理テーブルに記憶する）こととしてよい。
【００６８】
［３−１（２）．メッセージ提供処理］
次に、図１３を参照しながら、第１の実施例において、ユーザ端末２から保存されたメッセージ情報の閲覧要求を受け付けた場合に、閲覧要求に係るメッセージ情報を、当該メッセージ情報の発信者と閲覧者との関係に基づいて変換して、閲覧要求に係るユーザ端末２に提供する処理（メッセージ提供処理）の詳細について説明する。
【００６９】
図１３に示されるように、情報提供サーバ１は、ユーザ端末２からメッセージ情報の閲覧要求（例えばリクエストに係るメッセージＩＤ及びリクエスタのユーザＩＤ）を受け付けると（Ｓ２０１）、閲覧要求に係るメッセージ情報の発信者と、メッセージ情報の閲覧者の情報（発信者と閲覧者のそれぞれのユーザＩＤ）を特定する（Ｓ２０２）。
【００７０】
次に、情報提供サーバ１は、発信者と閲覧者の関係性（ランク）をユーザ関係性評価部１８により評価し（Ｓ２０３）、得られた関係性（ランク）に基づいてメッセージ情報の変換レベルを決定する（Ｓ２０４）。例えば、情報提供サーバ１は、発信者と閲覧者との関係性ランクがＲ（Ｒは０以上の整数）の場合には、メッセージ情報の変換レベルＬをＬ＝Ｒに決定することとしてよい。なお、変換レベルが０の場合には、変換を行わないこととしてよい。
【００７１】
情報提供サーバ１は、閲覧要求に係るメッセージ情報を、受け付けたメッセージＩＤをキーとしてメッセージ記憶部１４から検索して取得し（Ｓ２０５）、取得したメッセージ情報に含まれる変換対象データ要素のうち変換を実行するデータ要素Ｄ１〜ＤＭを変換実行要素決定部１９により決定する（Ｓ２０６）。ここで、ＤＭにおけるＭは変換を実行するデータ要素の数であり、１以上の整数である。
【００７２】
情報提供サーバ１は、変数ｉを１に初期化して（Ｓ２０７）、変換実行要素として決定したデータ要素Ｄｉを、Ｓ２０４で決定した変換レベルＬに基づいて変換する（Ｓ２０８）。例えば、情報提供サーバ１は、データ要素Ｄｉの変換レベルごとの変換候補の中から、変換レベルＬに対応する変換候補を用いてデータ要素Ｄｉを変換することとしてよい。
【００７３】
情報提供サーバ１は、変数ｉがＭに達していない場合には（Ｓ２０９：Ｎ）、変数ｉをインクリメント（１加算）して（Ｓ２１０）、Ｓ２０８に戻り、それ以降の処理を再度実行する。
【００７４】
情報提供サーバ１は、変数ｉがＭに達している場合には（Ｓ２０９：Ｙ）、変換後のデータ要素Ｄ１〜ＤＭに基づいて元のメッセージ情報（基礎メッセージ情報）を変換した変換メッセージ情報を生成し（Ｓ２１１）、生成した変換メッセージ情報を、閲覧要求に係るユーザ端末２に提供する（Ｓ２１２）。
【００７５】
以上が、第１の実施例に係るメッセージ提供処理の流れである。第１の実施例に係る処理によれば、メッセージの投稿時にメッセージを閲覧するユーザが未定の場合においても、メッセージの発信者とメッセージの閲覧者との関係に応じて情報量が抑制されたメッセージが閲覧者に提供されることとなる。
【００７６】
［３−２．第２の実施例］
次に、第２の実施例として、ユーザから投稿されるメッセージに１以上の宛先が定められている場合に、メッセージに定められたそれぞれの宛先のユーザに対して、投稿されたメッセージを変換して提供する処理について説明する。
【００７７】
図１４には、第２の実施例に係るメッセージ提供処理のフローチャートを示した。
【００７８】
図１４に示されるように、情報提供サーバ１は、ユーザ端末２から宛先が定められたメッセージ情報（配信メッセージ）を取得し（Ｓ３０１）、取得したメッセージ情報を保存する（Ｓ３０２）。なお、メッセージ情報の保存処理は、第１の実施例におけるメッセージ保存処理で説明したフローチャート（図１２）と同様の処理を適用することができるため、ここでの説明は省略する。
【００７９】
情報提供サーバ１は、Ｓ３０１で取得したメッセージ情報の宛先であるユーザＵ１〜ＵＬを特定する（Ｓ３０３）。例えば、宛先はメッセージ情報に指定されていることとしてもよいし、メッセージ情報の発信者であるユーザに関連付けて定められていることとしてもよい。ここで、ＵＬにおけるＬは、メッセージ情報の宛先であるユーザの数であり、１以上の整数である。
【００８０】
情報提供サーバ１は、変数ｉを１に初期化して（Ｓ３０４）、メッセージ情報の発信者Ｓと、宛先のユーザＵｉとの関係性をユーザ関係性評価部１８により評価し（Ｓ３０５）、発信者ＳとユーザＵｉの関係性に応じた変換レベルＬｉを決定する（Ｓ３０６）。例えば、情報提供サーバ１は、発信者ＳとユーザＵｉとの関係性ランクがＲ（Ｒは０以上の整数）の場合には、メッセージ情報の変換レベルＬｉをＬｉ＝Ｒに決定することとしてよい。なお、変換レベルが０の場合には、変換を行わないこととしてよい。
【００８１】
情報提供サーバ１は、メッセージ情報に含まれる変換対象データ要素のうち変換するデータ要素Ｄ１〜ＤＫｉを変換実行要素決定部１９により決定する（Ｓ３０７）。なお、Ｋｉは１以上の整数とする。
【００８２】
情報提供サーバ１は、変数ｊを１に初期化して（Ｓ３０８）、データ要素Ｄｊを、Ｓ３０６で決定した変換レベルＬｉに基づいて変換する（Ｓ３０９）。例えば、情報提供サーバ１は、データ要素Ｄｊの変換レベルごとの変換候補の中から、変換レベルＬｉに対応する変換候補を用いてデータ要素Ｄｊのデータ内容を変換することとしてよい。
【００８３】
情報提供サーバ１は、変数ｊがＫｉに達していない場合には（Ｓ３１０：Ｎ）、変数ｊをインクリメント（１加算）して（Ｓ３１１）、Ｓ３０９に戻り、それ以降の処理を再度実行する。
【００８４】
情報提供サーバ１は、変数ｊがＫｉに達している場合には（Ｓ３１０：Ｙ）、変換後のデータ要素Ｄ１〜ＤＫｉに基づいて元のメッセージ情報（基礎メッセージ情報）を変換した変換メッセージ情報Ｍｉを生成し（Ｓ３１２）、生成した変換メッセージ情報Ｍｉを、ユーザＵｉに対して提供する（Ｓ３１３）。例えば、情報提供サーバ１は、ユーザＵｉの宛先情報（メールアドレス）に向けて変換メッセージ情報Ｍｉを送信してもよいし、ユーザＵｉの操作するユーザ端末２に変換メッセージ情報Ｍｉを送信することとしてもよい。ここで、情報提供サーバ１は、送信したメッセージ情報に基づき、メッセージ履歴情報管理テーブルの履歴情報を更新することとしてよい。
【００８５】
情報提供サーバ１は、変数ｉがＬに達していない場合には（Ｓ３１４：Ｎ）、変数ｉをインクリメント（１加算）して（Ｓ３１５）、Ｓ３０５に戻り、それ以降の処理を再度実行する。また、情報提供サーバ１は、Ｓ３１４で変数ｉがＬに達している場合には（Ｓ３１４：Ｙ）、処理を終了する。
【００８６】
以上が、第２の実施例に係るメッセージ提供処理の流れである。第２の実施例に係る処理によれば、メッセージが指定されたユーザに対して配信される場合であっても、メッセージの発信者とメッセージの閲覧者との関係に応じてメッセージの情報量が抑制されたメッセージが閲覧者に提供されることとなる。
【００８７】
［４．データの変換例］
ここで、メッセージ情報に含まれるデータの変換態様の他の例について図１５乃至図１９を参照しながら説明する。
【００８８】
図１５には、変換規則情報の一例を示した。図１５に示される例では、データ種類が住所、個人名である変換規則情報の例を説明するものである。
【００８９】
図１５に示されるように、変換対象のデータが住所（例えば、Ｂ０（国）、Ｂ１（都道府県）、Ｂ２（市）、Ｂ３（区）、Ｂ４等）である場合に、変換対象のデータ形式が［Ｂｎ］とすると、変換レベル１では［Ｂｎ］を上位の住所区分である［Ｂｎ−１］に変換し、変換レベル２では［Ｂｎ］を次の上位区分である［Ｂｎ−２］に変換し、変換レベル３では［Ｂｎ］を次の上位区分である［Ｂｎ−３］に変換し、変換レベル４では［Ｂｎ］を次の上位区分である［Ｂｎ−４］に変換することとしてよい。なお、［Ｂｎ−ｉ］においてｎ−ｉが０未満となった場合には［Ｂｎ−ｉ］をＢ０に置き換えることとしてよい。このように、住所データを、変換レベルが大きくなるにつれて、元の住所を包含する、より大きな区域の住所に置換することとしてもよい。もちろん、上記の変換は、変換対象のデータが住所である場合に限られるものではなく、変換対象のデータを、変換レベルが大きくなるにつれて、より上位概念の語に置換することとしてもよい。
【００９０】
また、図１５に示されるように、変換対象のデータが個人名である場合に、変換対象のデータ（変換対象ユーザ名）を、変換レベルが１では変換対象ユーザ名を、変換対象ユーザに関する第１〜第Ｎ（Ｎは１以上の整数）の属性情報に変換し、変換レベルが２では変換対象ユーザ名を、変換対象ユーザに関する第１〜第（Ｎ−１）の属性情報に変換し、変換レベルが３では変換対象ユーザ名を、変換対象ユーザに関する第１〜第（Ｎ−２）の属性情報に変換するようにしてよい。なお、Ｎ−ｉが０以下となった場合には変換対象ユーザ名を削除することとしてよい。例えば、図１５には、Ｎを３とした場合の例を示しており、ここで、例えば、第１の属性情報は、ユーザの性別、第２の属性情報はユーザの年齢、第３の属性情報はメッセージの発信者と変換対象ユーザとの関係等としてよい。なお、ユーザの性別、年齢、メッセージの発信者と変換対象ユーザとの関係は、ユーザ情報を管理するデータベースの記憶内容を参照して取得することとしてよい。このように、個人名データを、１以上の属性情報に変換し、変換レベルが大きくなるにつれて、表示される属性情報の数が少なくなるように変換するようにしてよい。
【００９１】
図１６には、投稿されるメッセージの一例を、図１７乃至図１９には、図１５で説明した変換規則情報に基づいて、閲覧者ごとに変換される変換メッセージの一例を示した。なお、ユーザＡがメッセージの発信者であり、ユーザＢ，Ｃ，Ｄ，Ｅがメッセージの閲覧者であるとする。ここで、ユーザＡとユーザＢ〜Ｅのそれぞれの関係性は、図２に定められた通りとする。
【００９２】
図１６には、ユーザＡから投稿される投稿メッセージＭＳ０１の一例を示した。図１６に示されるように、投稿メッセージＭＳ１１には、個人名データＤ１００、住所データＤ２００が含まれる。なお、投稿メッセージＭＳ０１は、ユーザ端末２Ａにより情報提供サーバ１に送信される。
【００９３】
情報提供サーバ１は、ユーザＡから投稿されたメッセージを、メッセージの発信者であるユーザＡと、閲覧者であるユーザＢ〜Ｅのそれぞれとの関係性ランクに従って必要に応じて変換した上で各ユーザに対して提供することとする。
【００９４】
例えば、ユーザＡとの関係性ランク０に属するユーザＢは、ユーザＡが投稿したメッセージをそのまま受け取ることとしてよい。
【００９５】
そして、ユーザＡとの関係性ランク１に属するユーザＣは、図１７に示されるように、ユーザＡが投稿したメッセージのうち、個人名データＤ１００が個人名データＤ１０１（個人名データＤ１００に紐付く第１の属性情報（性別）、第２の属性情報（年齢）、第３の属性情報（発信者との関係））に変換され、住所データＤ２００が住所データＤ２０１（住所データＤ２００の上位の住所区分）に変換されたメッセージＭ１２を受け取る。
【００９６】
ユーザＡとの関係性ランク２に属するユーザＤは、図１８に示されるように、ユーザＡが投稿したメッセージのうち、個人名データＤ１００が個人名データＤ１０２（個人名データＤ１００に紐付く第１の属性情報（性別）、第２の属性情報（年齢））に変換され、住所データＤ２００が住所データＤ２０２（Ｄ２０１の上位の住所区分）に変換されたメッセージＭ１３を受け取る。
【００９７】
ユーザＡとの関係がランク３に属するユーザＥは、図１９に示されるように、ユーザＡが投稿したメッセージのうち、個人名データＤ１００が個人名データＤ１０３（個人名データＤ１００に紐付く第１の属性情報（性別））に変換され、住所データＤ２００が住所データＤ２０３（Ｄ２０２の上位の住所区分）に変換されたメッセージＭ１４を受け取る。
【００９８】
本発明は上記の実施形態に限定されるものではない。例えば、情報提供サーバ１は、メッセージ情報に含まれる変換対象のデータ要素のうち変換を実行するデータ要素の数を、メッセージ情報の発信者と閲覧者との関係性ランクに応じて決定（例えば、発信者と閲覧者との関係性が遠くなるほど変換するデータ要素の数が大きくなるように決定）することとしてもよい。この場合に、関係性ランクに応じて、変換するデータ要素の種別を決定（例えば、発信者と閲覧者との関係性が遠くなるほど変換するデータ要素の種別が多くなるように決定）することとしてもよい。
【図１】
2014203402.tif 000003
【図２】
2014203402.tif 000004
【図３】
2014203402.tif 000005
【図４】
2014203402.tif 000006
【図５】
2014203402.tif 000007
【図６】
2014203402.tif 000008
【図７】
2014203402.tif 000009
【図８】
2014203402.tif 000010
【図９】
2014203402.tif 000011
【図１０】
2014203402.tif 000012
【図１１】
2014203402.tif 000013
【図１２】
2014203402.tif 000014
【図１３】
2014203402.tif 000015
【図１４】
2014203402.tif 000016
【図１５】
2014203402.tif 000017
【図１６】
2014203402.tif 000018
【図１７】
2014203402.tif 000019
【図１８】
2014203402.tif 000020
【図１９】
2014203402.tif 000021
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
投稿者からの入力に基づき作成した投稿情報を取得する取得手段と、
前記投稿者と閲覧者との関係に応じて決定した前記閲覧者に伝達する情報量のレベルに基づいて、前記投稿情報を当該情報量のレベルに対応する他の情報に置換して、当該投稿情報を変換する変換手段と、
前記変換された前記投稿情報を前記閲覧者に提供する提供手段と、
を含むことを特徴とする情報提供装置。
【請求項２】
前記投稿情報の中から変換対象とする１以上のデータ要素を抽出する抽出手段をさらに含み、
前記変換手段は、前記投稿者と前記閲覧者との関係に応じて決定した情報量のレベルに基づいて、前記抽出手段により抽出したデータ要素のそれぞれを当該情報量のレベルに対応する他の情報に置換する
ことを特徴とする請求項１に記載の情報提供装置。
【請求項３】
データの種別ごとにそれぞれ情報量のレベルが異なる複数の変換候補に変換する変換規則を定めた変換規則情報を記憶する記憶手段をさらに含み、
前記変換手段は、前記抽出手段により抽出したデータ要素のそれぞれを、該データ要素の種別について前記記憶手段に記憶される変換規則情報と、前記投稿者と前記閲覧者との関係に応じて決定した情報量のレベルとに基づいて、当該情報量のレベルに対応する他の情報に置換して当該データ要素を変換する
ことを特徴とする請求項２に記載の情報提供装置。
【請求項４】
前記投稿者と、１以上の閲覧者のそれぞれとの関係の近さを表す評価値を取得する評価値取得手段をさらに含み、
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について変換した前記投稿情報の情報量が、前記第２の閲覧者について変換した前記投稿情報の情報量よりも小さくなるように変換する
ことを特徴とする請求項１乃至３のいずれかに記載の情報提供装置。
【請求項５】
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から抽出した変換対象とするデータ要素を変換したデータ要素の情報量が、前記第２の閲覧者について前記変換対象とするデータ要素を変換したデータ要素の情報量よりも小さくする
ことを特徴とする請求項４に記載の情報提供装置。
【請求項６】
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から抽出する変換対象とするデータ要素の数を、前記第２の閲覧者について前記投稿情報の中から抽出する変換対象とするデータ要素の数よりも多くする
ことを特徴とする請求項４に記載の情報提供装置。
【請求項７】
前記評価値取得手段は、前記投稿者から前記閲覧者に対して送信されたメッセージの数又はメッセージの投稿頻度に基づいて前記評価値を取得する、
ことを特徴とする請求項４乃至６のいずれかに記載の情報提供装置。
【請求項８】
前記評価値取得手段は、前記投稿者と前記閲覧者との間で交換したメッセージの数又はメッセージの交換頻度に基づいて前記評価値を取得する、
ことを特徴とする請求項４乃至６のいずれかに記載の情報提供装置。
【請求項９】
前記評価値取得手段は、前記メッセージについて重みを設定して前記評価値を取得する、
ことを特徴とする請求項７または８に記載の情報提供装置。
【請求項１０】
前記変換手段は、前記抽出手段により抽出したデータ要素が固有名詞である場合に、該データ要素に含まれる文字列のうち、前記投稿者と前記閲覧者との関係に応じて決定した情報量のレベルに基づき決定した数の文字をマスク又は削除した情報に、該データ要素を変換する
ことを特徴とする請求項２又は３に記載の情報提供装置。
【請求項１１】
前記変換手段は、前記抽出手段により抽出したデータ要素が住所データである場合に、該データ要素に含まれる住所の構成区分のうち、前記投稿者と前記閲覧者との関係に応じて決定した情報量のレベルに基づき決定した住所の構成区分を削除するか、又は、該データ要素に含まれる住所の構成区分を前記投稿者と前記閲覧者との関係に応じて決定した情報量のレベルに対応する上位の住所の構成区分に置換して、該データ要素を変換する
ことを特徴とする請求項２又は３に記載の情報提供装置。
【請求項１２】
前記変換手段は、前記抽出手段により抽出したデータ要素に情報量のレベルに対応して置換する置換データが定められている場合に、該データ要素を前記投稿者と前記閲覧者との関係に応じて決定した情報量のレベルに対応する置換データに置換して、該データ要素を変換する
ことを特徴とする請求項２又は３に記載の情報提供装置。
【請求項１３】
前記変換手段は、前記抽出手段により抽出したデータ要素が動画像データである場合に、前記投稿者と前記閲覧者との関係に応じて決定した情報量のレベルに応じて、該動画像データを、該動画像データに含まれる静止画像、又は該動画像データの属性情報に変換する
ことを特徴とする請求項２又は３に記載の情報提供装置。
【請求項１４】
前記抽出手段は、前記投稿情報に含まれるデータ要素ごとに定められた優先順位に従って、前記投稿情報に含まれるデータ要素の中から変換対象とする１以上のデータ要素を抽出する
ことを特徴とする請求項２又は３に記載の情報提供装置。
【請求項１５】
前記投稿者と前記閲覧者の関係の近さを表す評価値を取得する評価値取得手段と、
前記投稿者と前記閲覧者について前記評価値取得手段により取得された評価値が閾値以上又は閾値より大きい場合に、前記投稿者に関連付けられたユーザのリストと、前記閲覧者に関連付けられたユーザのリストとにおいて共通するユーザのデータを変換対象として抽出する優先順位を所定の優先順位よりも低く設定する設定手段と、をさらに含む
ことを特徴とする請求項１４に記載の情報提供装置。
【請求項１６】
前記投稿者と前記閲覧者の関係の近さを表す評価値を取得する評価値取得手段と、
前記投稿者と前記閲覧者について前記評価値取得手段により取得された評価値が閾値以下又は閾値より小さい場合に、前記投稿者に関連付けられたユーザのリストと、前記閲覧者に関連付けられたユーザのリストとにおいて共通するユーザのデータを変換対象として抽出する優先順位を所定の優先順位よりも高く設定する設定手段と、をさらに含む
ことを特徴とする請求項１４に記載の情報提供装置。
【請求項１７】
投稿者からの入力に基づき作成した投稿情報を取得する取得ステップと、
前記投稿者と閲覧者との関係に応じて決定した前記閲覧者に伝達する情報量のレベルに基づいて、前記投稿情報を当該情報量のレベルに対応する他の情報に置換して、当該投稿情報を変換する変換ステップと、
前記変換された前記投稿情報を前記閲覧者に提供する提供ステップと、
を含む情報提供方法。
【請求項１８】
投稿者からの入力に基づき作成した投稿情報を取得する取得手段と、
前記投稿者と閲覧者との関係に応じて決定した前記閲覧者に伝達する情報量のレベルに基づいて、前記投稿情報を当該情報量のレベルに対応する他の情報に置換して、当該投稿情報を変換する変換手段と、
前記変換された前記投稿情報を前記閲覧者に提供する提供手段
としてコンピュータを機能させるためのプログラム。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
投稿者からの入力に基づき作成した投稿情報を取得する取得手段と、
辞書情報に基づいて、前記投稿情報の中から変換対象とする１以上のデータ要素を特定する特定手段と、
前記投稿者と閲覧者との関係に応じて決定した前記閲覧者に伝達する情報量のレベルに基づいて、前記特定手段により特定したデータ要素のそれぞれを当該情報量のレベルに対応する他の情報に置換して、当該投稿情報を変換する変換手段と、
前記変換された前記投稿情報を前記閲覧者に提供する提供手段と、
を含むことを特徴とする情報提供装置。
【請求項２】
データの種別ごとにそれぞれ情報量のレベルが異なる複数の変換候補に変換する変換規則を定めた変換規則情報を記憶する記憶手段をさらに含み、
前記変換手段は、前記特定手段により特定したデータ要素のそれぞれを、該データ要素の種別について前記記憶手段に記憶される変換規則情報と、前記投稿者と前記閲覧者との関係に応じて決定した情報量のレベルとに基づいて、当該情報量のレベルに対応する他の情報に置換して当該データ要素を変換する
ことを特徴とする請求項１に記載の情報提供装置。
【請求項３】
前記投稿者と、１以上の閲覧者のそれぞれとの関係の近さを表す評価値を取得する評価値取得手段をさらに含み、
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について変換した前記投稿情報の情報量が、前記第２の閲覧者について変換した前記投稿情報の情報量よりも小さくなるように変換する
ことを特徴とする請求項１または２に記載の情報提供装置。
【請求項４】
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から特定した変換対象とするデータ要素を変換したデータ要素の情報量を、前記第２の閲覧者について前記変換対象とするデータ要素を変換したデータ要素の情報量よりも小さくする
ことを特徴とする請求項３に記載の情報提供装置。
【請求項５】
前記変換手段は、前記評価値取得手段により取得される評価値に基づいて、前記投稿者と第１の閲覧者の関係が、前記投稿者と第２の閲覧者の関係よりも遠いと判断される場合に、前記第１の閲覧者について前記投稿情報の中から特定する変換対象とするデータ要素の数を、前記第２の閲覧者について前記投稿情報の中から特定する変換対象とするデータ要素の数よりも多くする
ことを特徴とする請求項３に記載の情報提供装置。
【請求項６】
前記評価値取得手段は、前記投稿者から前記閲覧者に対して送信されたメッセージの数又はメッセージの投稿頻度に基づいて前記評価値を取得する、
ことを特徴とする請求項３乃至５のいずれかに記載の情報提供装置。
【請求項７】
前記評価値取得手段は、前記投稿者と前記閲覧者との間で交換したメッセージの数又はメッセージの交換頻度に基づいて前記評価値を取得する、
ことを特徴とする請求項３乃至５のいずれかに記載の情報提供装置。
【請求項８】
前記評価値取得手段は、前記メッセージについて重みを設定して前記評価値を取得する、
ことを特徴とする請求項６または７に記載の情報提供装置。
【請求項９】
前記変換手段は、前記特定手段により特定したデータ要素が固有名詞である場合に、該データ要素に含まれる文字列のうち、前記投稿者と前記閲覧者との関係に応じて決定した情報量のレベルに基づき決定した数の文字をマスク又は削除した情報に、該データ要素を変換する
ことを特徴とする請求項１又は２に記載の情報提供装置。
【請求項１０】
前記変換手段は、前記特定手段により特定したデータ要素が固有名詞である場合に、該データ要素に含まれる文字列のうち、前記投稿者と前記閲覧者との関係に応じて決定した情報量のレベルに対応する割合の数の文字をマスク又は削除した情報に、該データ要素を変換する
ことを特徴とする請求項９に記載の情報提供装置。
【請求項１１】
前記変換手段は、前記特定手段により特定したデータ要素が住所データである場合に、該データ要素に含まれる住所の構成区分のうち、前記投稿者と前記閲覧者との関係に応じて決定した情報量のレベルに基づき決定した住所の構成区分を削除するか、又は、該データ要素に含まれる住所の構成区分を前記投稿者と前記閲覧者との関係に応じて決定した情報量のレベルに対応する上位の住所の構成区分に置換して、該データ要素を変換する
ことを特徴とする請求項１又は２に記載の情報提供装置。
【請求項１２】
前記変換手段は、前記特定手段により特定したデータ要素に情報量のレベルに対応して置換する置換データが定められている場合に、該データ要素を前記投稿者と前記閲覧者との関係に応じて決定した情報量のレベルに対応する置換データに置換して、該データ要素を変換する
ことを特徴とする請求項１又は２に記載の情報提供装置。
【請求項１３】
前記変換手段は、前記特定手段により特定したデータ要素が動画像データである場合に、前記投稿者と前記閲覧者との関係に応じて決定した情報量のレベルに応じて、該動画像データを、該動画像データに含まれる静止画像、又は該動画像データの属性情報に変換する
ことを特徴とする請求項１又は２に記載の情報提供装置。
【請求項１４】
前記特定手段は、前記投稿情報に含まれるデータ要素ごとに定められた優先順位に従って、前記投稿情報に含まれるデータ要素の中から変換対象とする１以上のデータ要素を特定する
ことを特徴とする請求項１又は２に記載の情報提供装置。
【請求項１５】
前記投稿者と前記閲覧者の関係の近さを表す評価値を取得する評価値取得手段と、
前記投稿者と前記閲覧者について前記評価値取得手段により取得された評価値に応じて、前記投稿者に関連付けられたユーザのリストと、前記閲覧者に関連付けられたユーザのリストとにおいて共通するユーザのデータを変換対象として特定する優先順位を設定する設定手段と、をさらに含む
ことを特徴とする請求項１４に記載の情報提供装置。
【請求項１６】
前記投稿者と前記閲覧者の関係の近さを表す評価値を取得する評価値取得手段と、
前記投稿者と前記閲覧者について前記評価値取得手段により取得された評価値が閾値以上又は閾値より大きい場合に、前記投稿者に関連付けられたユーザのリストと、前記閲覧者に関連付けられたユーザのリストとにおいて共通するユーザのデータを変換対象として特定する優先順位を所定の優先順位よりも低く設定する設定手段と、をさらに含む
ことを特徴とする請求項１４に記載の情報提供装置。
【請求項１７】
前記投稿者と前記閲覧者の関係の近さを表す評価値を取得する評価値取得手段と、
前記投稿者と前記閲覧者について前記評価値取得手段により取得された評価値が閾値以下又は閾値より小さい場合に、前記投稿者に関連付けられたユーザのリストと、前記閲覧者に関連付けられたユーザのリストとにおいて共通するユーザのデータを変換対象として特定する優先順位を所定の優先順位よりも高く設定する設定手段と、をさらに含む
ことを特徴とする請求項１４に記載の情報提供装置。
【請求項１８】
投稿者からの入力に基づき作成した投稿情報を取得する取得ステップと、
辞書情報に基づいて、前記投稿情報の中から変換対象とする１以上のデータ要素を特定する特定ステップと、
前記投稿者と閲覧者との関係に応じて決定した前記閲覧者に伝達する情報量のレベルに基づいて、前記特定されたデータ要素のそれぞれを当該情報量のレベルに対応する他の情報に置換して、当該投稿情報を変換する変換ステップと、
前記変換された前記投稿情報を前記閲覧者に提供する提供ステップと、
を含む情報提供方法。
【請求項１９】
投稿者からの入力に基づき作成した投稿情報を取得する取得手段と、
辞書情報に基づいて、前記投稿情報の中から変換対象とする１以上のデータ要素を特定する特定手段と、
前記投稿者と閲覧者との関係に応じて決定した前記閲覧者に伝達する情報量のレベルに基づいて、前記特定手段により特定したデータ要素のそれぞれを当該情報量のレベルに対応する他の情報に置換して、当該投稿情報を変換する変換手段と、
前記変換された前記投稿情報を前記閲覧者に提供する提供手段
としてコンピュータを機能させるためのプログラム。
【請求項２０】
投稿者からの入力に基づき作成した投稿情報を取得する取得手段と、
前記投稿者と閲覧者との関係に応じて決定した前記閲覧者に伝達する情報量のレベルに基づいて、前記投稿情報を当該情報量のレベルに対応する他の情報に置換して、当該投稿情報を変換する変換手段と、
前記変換された前記投稿情報を前記閲覧者に提供する提供手段と、
前記投稿者と前記閲覧者の関係の近さを表す評価値を取得する評価値取得手段と、
前記投稿者と前記閲覧者について前記評価値取得手段により取得された評価値に応じて、前記投稿者に関連付けられたユーザのリストと、前記閲覧者に関連付けられたユーザのリストとにおいて共通するユーザのデータを変換対象として特定する優先順位を設定する設定手段と、
を含むことを特徴とする情報提供装置。
【請求項２１】
前記設定手段は、前記投稿者と前記閲覧者について前記評価値取得手段により取得された評価値が閾値以上又は閾値より大きい場合に、前記投稿者に関連付けられたユーザのリストと、前記閲覧者に関連付けられたユーザのリストとにおいて共通するユーザのデータを変換対象として特定する優先順位を所定の優先順位よりも低く設定する、
ことを特徴とする請求項２０に記載の情報提供装置。
【請求項２２】
前記設定手段は、前記投稿者と前記閲覧者について前記評価値取得手段により取得された評価値が閾値以下又は閾値より小さい場合に、前記投稿者に関連付けられたユーザのリストと、前記閲覧者に関連付けられたユーザのリストとにおいて共通するユーザのデータを変換対象として特定する優先順位を所定の優先順位よりも高く設定する、
ことを特徴とする請求項２０に記載の情報提供装置。
【国際調査報告】
2014203402.tif 000022
2014203402.tif 000023
2014203402.tif 000024
2014203402.tif 000025